(57)【要約】【課題】ズームイン表示モードおよびズームアウト表示モードのいずれでも年表の各事項が見やすくなるとともに、年表データ作成および年表表示のための処理が容易となるようにする。【解決手段】ズームアウト表示モードでは、ズームアウト表示用の年表データによって、時間軸５としては、数世紀に渡る期間を表示し、事項部６としては、その期間の代表的または特徴的な事項を、時間軸５に対応づけて表示し、ズームイン表示モードでは、ズームイン表示用の年表データによって、時間軸５としては、ある世紀を表示し、事項部６としては、その世紀の初頭から末までの期間の代表的または特徴的な事項を、時間軸５に対応づけて表示する。年表以外に、時間的または空間的な、または分類上または順位上の、軸上に位置づけられる各区間に関連する事項を、テーブルとして表示する場合も、同様とする。【選択図】図４
2008046353.tif 000002
【特許請求の範囲】
【請求項１】
軸上に位置づけられる各区間に関連する事項をテーブルとして表示する方法であって、
第１のズームレベル用の第１のテーブルデータによって、表示画面の所定領域内に相対的に短い区間および当該の区間に関連する事項を表示する第１の表示モード、および、前記第１のズームレベルより低い第２のズームレベル用の第２のテーブルデータによって、前記所定領域内に相対的に長い区間および当該の区間に関連する事項を表示する第２の表示モードのうちの、指定された方の表示モードによってテーブルを表示することを特徴とするテーブル表示方法。
【請求項２】
請求項１のテーブル表示方法において、
前記第１のズームレベルおよび前記第２のズームレベルとは異なる第３のズームレベルの表示モードが指定された場合には、第３のズームレベル用の第３のテーブルデータによって、テーブルを表示することを特徴とするテーブル表示方法。
【請求項３】
請求項１のテーブル表示方法において、
前記第１のズームレベルと前記第２のズームレベルとの間の第３のズームレベルの表示モードが指定された場合には、前記第２のテーブルデータによって、第３のズームレベルに合わせてテーブルを表示することを特徴とするテーブル表示方法。
【請求項４】
請求項１のテーブル表示方法において、
前記第１のズームレベルより高い第３のズームレベルの表示モードが指定された場合には、前記第１のテーブルデータによって、第３のズームレベルに合わせてテーブルを表示することを特徴とするテーブル表示方法。
【請求項５】
請求項１のテーブル表示方法において、
前記第１のズームレベルと前記第２のズームレベルとの間の第３のズームレベルの表示モードが指定された場合には、前記第１のテーブルデータによって、第３のズームレベルに合わせてテーブルを表示することを特徴とするテーブル表示方法。
【請求項６】
請求項１のテーブル表示方法において、
前記第２のズームレベルより低い第３のズームレベルの表示モードが指定された場合には、前記第２のテーブルデータによって、第３のズームレベルに合わせてテーブルを表示することを特徴とするテーブル表示方法。
【請求項７】
軸上に位置づけられる各区間に関連する事項をテーブルとして表示するように情報を処理する装置であって、
第１のズームレベル用の第１のテーブルデータ、および第１のズームレベルより低い第２のズームレベル用の第２のテーブルデータを保持する記憶手段と、
この記憶手段に保持されているテーブルデータを処理して、表示画面の所定領域内にテーブルを表示する処理手段と、
前記第１のテーブルデータによって、前記所定領域内に相対的に短い区間および当該の区間に関連する事項を表示する第１の表示モード、および、前記第２のテーブルデータによって、前記所定領域内に相対的に長い区間および当該の区間に関連する事項を表示する第２の表示モードのうちの、指定された方の表示モードによってテーブルを表示するように、前記記憶手段からのデータ読み出し、および前記処理手段によるデータ処理を制御する制御手段と、
を備えることを特徴とする情報処理装置。
【請求項８】
軸上に位置づけられる各区間に関連する事項をテーブルとして表示するように情報を処理する装置であって、
外部ネットワークに接続して外部ネットワーク上から、第１のズームレベル用の第１のテーブルデータ、および第１のズームレベルより低い第２のズームレベル用の第２のテーブルデータを取得するインタフェース手段と、
このインタフェース手段によって取得されたテーブルデータを処理して、表示画面の所定領域内にテーブルを表示する処理手段と、
前記第１のテーブルデータによって、前記所定領域内に相対的に短い区間および当該の区間に関連する事項を表示する第１の表示モード、および、前記第２のテーブルデータによって、前記所定領域内に相対的に長い区間および当該の区間に関連する事項を表示する第２の表示モードのうちの、指定された方の表示モードによってテーブルを表示するように、前記インタフェース手段によるデータ取得、および前記処理手段によるデータ処理を制御する制御手段と、
を備えることを特徴とする情報処理装置。
【請求項９】
軸上に位置づけられる各区間に関連する事項をテーブルとして表示するためにコンピュータを、
第１のズームレベル用の第１のテーブルデータによって、表示画面の所定領域内に相対的に短い区間および当該の区間に関連する事項を表示する第１の表示モード、および、前記第１のズームレベルより低い第２のズームレベル用の第２のテーブルデータによって、前記所定領域内に相対的に長い区間および当該の区間に関連する事項を表示する第２の表示モードのうちの、指定された方の表示モードによってテーブルを表示する手段、
として機能させるテーブル表示用プログラム。
【発明の詳細な説明】
【技術分野】
【０００１】
この発明は、時間軸などの軸上に位置づけられる各区間に関連する事項を、年表などのテーブルとして表示する方法および装置に関する。
【背景技術】
【０００２】
歴史的または履歴的な事項を、年表データとして記述し、年表形式で表示することが考えられている。
【０００３】
例えば、特許文献１（特開平１１−２４９６４０号公報）には、日時データと事象データとの対からなる年表データによって、ユーザの誕生から今に至るまでの履歴を、０歳から４歳までの期間、５歳から９歳までの期間、１０歳から１４歳までの期間、というような数年ごとの期間に分けて、表示することが示されている。
【０００４】
また、特許文献２（特開２００４−３２８２６５号公報）には、サムネイル画像のような複数の画像を、それぞれに関連した時刻を付加して記憶し、画面上に設定した時間軸上の、それぞれの画像に関連した時刻に対応した位置の近傍に配置し、時間に対応した順序と間隔で表示することが示されている。
【０００５】
さらに、特許文献３（特開２００６−１５３９６５号公報）には、年、月、週、日、時刻という時間単位による時間軸で期間ごとに区画された表示領域に、それぞれの時間単位に対応するサムネイル画像を表示し、大きい時間単位から小さい時間単位に切り替わるときには、当該の時間単位の指定期間の表示領域を拡大した中間画面を表示することが示されている。
【０００６】
上に挙げた先行技術文献は、以下の通りである。
【特許文献１】特開平１１−２４９６４０号公報
【特許文献２】特開２００４−３２８２６５号公報
【特許文献３】特開２００６−１５３９６５号公報
【発明の開示】
【発明が解決しようとする課題】
【０００７】
上記のように年表を表示する場合、一連の年表データをもとに、画面上の所定寸法長あたりの時間長を変えて、所定寸法長あたりの時間長を短くしたズームイン表示モード、および所定寸法長あたりの時間長を長くしたズームアウト表示モードを、選択的に採り得るようにすることが考えられる。
【０００８】
例えば、ズームイン表示モードでは１画面に１年分の年表を表示し、ズームアウト表示モードでは１画面に１０年分の年表を表示し、または、ズームイン表示モードでは１画面に１か月分の年表を表示し、ズームアウト表示モードでは１画面に１００年分の年表を表示する。
【０００９】
しかし、この場合、１つの方法として、ズームアウト表示モードでは、ズームイン表示モードに対して、年表の各事項を示す文字や画像などを、画面上で時間軸方向に１／１０（１年分／１０年分）または１／１２００（１か月／１００年）に圧縮して表示しなければならず、ズームアウト表示モードでは、文字や画像などが見にくくなり、または判読不能となる。
【００１０】
そのため、別の方法として、あらかじめ各事項に対して重要度を設定しておき、ズームアウト表示モードでは、重要度の低い事項は表示しないで、重要度の高い事項のみを表示することも考えられるが、そうすると、年表データ作成のための処理、および年表表示のための処理が複雑になる。
【００１１】
そこで、この発明は、年表などのテーブルを、少なくとも２つのズームレベルのうちの指定された方のズームレベルで表示する場合に、いずれのズームレベルの表示モードでもテーブルの各事項が見やすくなるとともに、テーブルデータ作成およびテーブル表示のための処理が容易となるようにしたものである。
【課題を解決するための手段】
【００１２】
この発明のテーブル表示方法は、
軸上に位置づけられる各区間に関連する事項をテーブルとして表示する方法であって、
第１のズームレベル用の第１のテーブルデータによって、表示画面の所定領域内に相対的に短い区間および当該の区間に関連する事項を表示する第１の表示モード、および、前記第１のズームレベルより低い第２のズームレベル用の第２のテーブルデータによって、前記所定領域内に相対的に長い区間および当該の区間に関連する事項を表示する第２の表示モードのうちの、指定された方の表示モードによってテーブルを表示することを特徴とする。
【００１３】
上記の構成の、この発明のテーブル表示方法では、例えば、年表を表示する場合、相対的にズームイン表示モードである第１の表示モード、および相対的にズームアウト表示モードである第２の表示モードでは、別個の年表データによって年表が表示され、相対的にズームアウト表示モードである第２の表示モードでも、画面上で年表の各事項を示す文字や画像などを圧縮する必要がないので、年表の各事項が見やすくなるとともに、あらかじめ各事項に対して重要度を設定しておき、ズームアウト表示モードでは重要度の低い事項を省く、というような処理も必要ないので、年表データ作成および年表表示のための処理が容易となる。
【発明の効果】
【００１４】
以上のように、この発明によれば、いずれのズームレベルの表示モードでもテーブルの各事項が見やすくなるとともに、テーブルデータ作成およびテーブル表示のための処理が容易となる。
【発明を実施するための最良の形態】
【００１５】
［１．システム構成：図１］
図１は、この発明の方法によって年表を表示するシステムの一例を示す。
【００１６】
この例のシステムでは、ユーザ側の情報処理装置１０がインターネット１００を介してサーバ９１に接続される。
【００１７】
情報処理装置１０は、情報を処理し、インターネット１００に接続する機能を備えるとともに、音楽データによって音楽を再生し、画像データによって画像を再生する機能を備えるものである。
【００１８】
具体的に、情報処理装置１０は、ＣＰＵ１１を備え、そのバス１２には、年表表示用プログラムを含む各種プログラムや各種の固定データが書き込まれるＲＯＭ１３、およびプログラムやデータが展開されるＲＡＭ１４が接続される。
【００１９】
また、バス１２には、記憶装置部１５および操作部１６が接続されるとともに、表示処理部２１を介してディスプレイ２２が接続され、音声処理部２３を介して音声出力部２４が接続される。
【００２０】
記憶装置部１５は、情報処理装置１０に内蔵される半導体メモリやハードディスクなどの内部記憶装置、または情報処理装置１０に装着接続される光ディスクなどの外部記憶装置で、各種のコンテンツデータや年表データなどのデータを記録保存するものである。
【００２１】
表示処理部２１は、画像データや年表データなどを処理するものであり、ディスプレイ２２は、画像や年表などが表示される液晶ディスプレイや有機ＥＬディスプレイなどであり、音声処理部２３は、音楽データなどの音声データを処理するものであり、音声出力部２４は、音声増幅回路およびスピーカ（ヘッドホン）である。
【００２２】
さらに、バス１２には、インターネット１００に接続するための外部インタフェース２５が接続される。
【００２３】
サーバ９１は、Ｗｅｂサイト上のＷｅｂサービスなどとして、各種の年表やコンテンツなどを提供し、情報処理装置１０からの要求に応じて情報処理装置１０に、年表データやコンテンツデータなどのデータを送信するもので、これには、各種の年表データやコンテンツデータなどのデータが蓄積されるネットワークストレージ９２が接続される。
【００２４】
［２．年表表示方法：図２〜図７］
図１の例のシステムでは、情報処理装置１０は、記憶装置部１５に記録されている年表データ、またはサーバ９１によってインターネット１００上で提供される年表データによって、以下のように年表を表示する。
【００２５】
（２−１．ズームイン表示およびズームアウト表示：図２〜図４）
この発明の方法では、ユーザは、年表表示モードとして、少なくともズームイン表示モードとズームアウト表示モードのいずれかを選択できるようにする。
【００２６】
情報処理装置１０のＣＰＵ１１は、ズームイン表示モードが選択されたときには、ズームイン表示用の年表データによって年表を表示し、ズームアウト表示モードが選択されたときには、ズームアウト表示用の年表データによって年表を表示する。
【００２７】
ズームイン表示用の年表データ、およびズームアウト表示用の年表データは、ともに、あらかじめ記憶装置部１５に記録され、またはインターネット１００を介してサーバ９１から送信される。
【００２８】
＜年表データおよび年表表示の一例：図２および図３＞
一例として、「音楽ベストテン」年表（ある期間での人気が１位から１０位までの曲のタイトルおよびアーティスト名を示した年表）を表示する場合として、ズームイン表示用の年表データは、ある年から複数年の期間の各年の、１月から１２月までの各月の月間ベストテンを示したものとし、ズームアウト表示用の年表データは、同じ年から同じ複数年の期間の、各年の年間ベストテンを示したものとする。
【００２９】
ズームイン表示用としての、月間ベストテンを示す年表のデータは、複数年分が１つの年表データとして、または１年分ずつ１つの年表データとして、まとめられてもよく、１か月ごとに１つの年表データとされてもよい。
【００３０】
同様に、ズームアウト表示用としての、年間ベストテンを示す年表のデータは、複数年分が１つの年表データとしてまとめられてもよく、１年ごとに１つの年表データとされてもよい。
【００３１】
それぞれの年表データに対しては、それぞれの年表のタイトルおよびズームレベル（音楽ベストテン−ズームイン表示用−月間ベストテン、音楽ベストテン−ズームアウト表示用−年間ベストテン、というようなタイトルおよびズームレベル）や、それぞれの年表で示される期間などを、付属情報として付加する。
【００３２】
図２に、ズームイン表示モードとして、上記のズームイン表示用の年表データによって、月間ベストテンが表示された状態を示し、図３に、ズームアウト表示モードとして、上記のズームアウト表示用の年表データによって、年間ベストテンが表示された状態を示す。
【００３３】
いずれの場合も、年表表示画面１には、年表表示領域２が設定され、年表表示領域２の下に、スクロールボタン３ａ，３ｂおよびスクロールバー３ｃが設けられ、年表表示領域２の右上に、ズームレベル変更ボタン４が設けられ、年表表示領域２内に、時間軸５および事項部６が表示される。
【００３４】
そして、ズームイン表示モードでは、図２に示すように、上記のズームイン表示用の年表データによって、時間軸５としては、例えば２００３年という、ある年を表示し、事項部６としては、例えば４月から８月までという、その年の連続する５か月の月間ベストテンを表示する。
【００３５】
図２の状態で、スクロールボタン３ａ，３ｂまたはスクロールバー３ｃを操作すれば、２００３年３月以前の月、または２００３年９月以後の月の、月間ベストテンが表示されるようにする。
【００３６】
さらに、このとき、ズームレベル変更ボタン４には、年間ベストテンが表示されるズームアウト表示モードに変更できることが示され、ズームレベル変更ボタン４を操作すると、ズームアウト表示モードに変わるようにする。
【００３７】
ズームアウト表示モードでは、図３に示すように、上記のズームアウト表示用の年表データによって、時間軸５としては、例えば２００１年から２００５年までの、連続する５年を表示し、事項部６としては、その各年の年間ベストテンを表示する。
【００３８】
ズームアウト表示用の年表データとして、２０００年以前の年のデータ、および２００６年以後の年のデータが存在する場合には、図３の状態で、スクロールボタン３ａ，３ｂまたはスクロールバー３ｃを操作することによって、２０００年以前の年、および２００６年以後の年の、年間ベストテンが表示される。
【００３９】
さらに、このとき、ズームレベル変更ボタン４には、月間ベストテンが表示されるズームイン表示モードに変更できることが示され、ズームレベル変更ボタン４を操作すると、ズームイン表示モードに変わるようにする。
【００４０】
なお、ズームイン表示（月間ベストテンの表示）からズームアウト表示（年間ベストテンの表示）に変更される際のデフォルト状態としては、例えば、図２のように時間軸５として２００３年が表示された状態でズームレベル変更ボタン４が操作されたとき、図３に示すように、時間軸５としては中央部に２００３年が表示され、事項部６としても中央部に２００３年の年間ベストテンが表示される状態とされる。
【００４１】
逆に、ズームアウト表示（年間ベストテンの表示）からズームイン表示（月間ベストテンの表示）に変更される際のデフォルト状態としては、例えば、図３のように時間軸５として中央部に２００３年が表示された状態でズームレベル変更ボタン４が操作されたとき、図２に示すように、時間軸５としては２００３年が表示され、事項部６としては２００３年の中央の４月から８月までの各月の月間ベストテンが表示される状態とされる。
【００４２】
＜年表データおよび年表表示の他の例：図４＞
上記の例は、それぞれの表示モードで、文字のみ（または文字および罫線）からなる年表を表示する場合であるが、それぞれの表示モードで、文字と図形または画像とからなる、または図形または画像のみからなる年表を表示するようにしてもよく、また、ズームイン表示用とズームアウト表示用とで、年表データの形式を変え、ズームイン表示モードとズームアウト表示モードとで、表示される年表の形態を変えてもよい。図４に、その場合の一例を示す。
【００４３】
図４の例では、ズームアウト表示モードでは、ズームアウト表示用の年表データによって、同図の上段に示すように、時間軸５としては、数世紀に渡る期間を表示し、事項部６としては、その期間の代表的または特徴的な事項を、それぞれ文字および画像によって、時間軸５に対応づけて表示し、ズームイン表示モードでは、ズームイン表示用の年表データによって、同図の下段に示すように、時間軸５としては、ある世紀を表示し、事項部６としては、その世紀の初頭から末までの期間の代表的または特徴的な事項を、それぞれ文字または文字および画像によって、時間軸５に対応づけて表示する。
【００４４】
＜効果＞
上述した基本的な方法によれば、ズームアウト表示モードでも、各事項を示す文字や画像などを圧縮する必要がないので、各事項が見やすくなるとともに、あらかじめ各事項に対して重要度を設定しておき、ズームアウト表示モードでは重要度の低い事項を省く、というような処理も必要ないので、年表データ作成および年表表示のための処理が容易となる。
【００４５】
（２−２．指定可能なズームレベルが３つ以上の場合：図５および図６）
上記の例は、ズームインおよびズームアウトという２つのズームレベルを指定できる場合であるが、３つ以上のズームレベルを指定できるようにすることもできる。
【００４６】
この場合の、年表データおよび年表表示としては、以下のような方法を採ることができる。
【００４７】
＜第１の方法：図５＞
第１の方法では、それぞれのズームレベルごとに、別個（専用）の年表データを用意し、それぞれの表示モードで、対応する年表データによって年表を表示する。
【００４８】
例えば、３つのズームレベルを指定できるようにする場合、音楽ベストテンという年表のデータとしては、レベル１のズームレベルの年表データとして、図２に示したように月間ベストテンの年表を表示するデータを用意し、レベル２のズームレベルの年表データとして、図３に示したように年間ベストテンの年表を表示するデータを用意するとともに、レベル３のズームレベルの年表データとして、例えば、図５に示すように年表を表示するデータを用意する。
【００４９】
すなわち、例えば、レベル３のズームレベルの年表データは、ある年から複数年の期間の各年の、上期および下期のベストテンを示したものとし、レベル３のズームレベルの表示モードでは、図５に示すように、このレベル３のズームレベルの年表データによって、時間軸５としては、例えば２００２年上期から２００４年上期までの、５期（２年半）を表示し、事項部６としては、その各期のベストテンを表示する。
【００５０】
この第１の方法によれば、いずれのズームレベルの表示モードでも各事項が見やすくなるとともに、年表データ作成および年表表示のための処理が容易となる。
【００５１】
＜第２の方法：図６＞
第２の方法では、目的のズームレベルの年表データが用意されていない（存在しない）場合の一方法として、そのズームレベルの表示モードが指定された場合、そのズームレベルより低い（そのズームレベルよりズームアウトされた）ズームレベルの年表データによって、指定されたズームレベルに合わせて年表を表示する。
【００５２】
具体的に、音楽ベストテンという年表のデータとしては、レベル１のズームレベルの年表データとして、図２に示したように月間ベストテンの年表を表示するデータが存在し、レベル２のズームレベルの年表データとして、図３に示したように年間ベストテンの年表を表示するデータが存在する場合に、レベル３のズームレベルとして、レベル１より低く、レベル２より高い、年表表示領域２内に３年分の年表を表示するズームレベルが設定される場合、そのレベル３のズームレベルの表示モードが指定されたときには、レベル２のズームレベルの年表データによって、図６に示すように、年表表示領域２内に３年分の年間ベストテンを表示する。
【００５３】
この場合、時間軸５として表示される時間幅（年数）はレベル２のズームレベルの表示モードに対して３／５（３年／５年）に短縮するが、すなわち年表表示領域２の所定寸法幅あたりの時間幅はレベル２のズームレベルの表示モードに対して５／３倍に拡大するが、各事項は、破線６２，６３，６４で囲んで示すように、レベル２のズームレベルの表示モードに対して表示幅を拡大しなくてもよい。
【００５４】
この第２の方法によれば、レベル３のズームレベルの年表データを用意する必要がないとともに、簡単な処理によってレベル３のズームレベルの表示モードを実現することができる。
【００５５】
レベル１のズームレベルの年表データ、およびレベル１より低いレベル２のズームレベルの年表データが存在する場合で、レベル１より高いレベル３のズームレベルを指定できるようにした場合に、そのレベル３のズームレベルの表示モードが指定されたときには、レベル２のズームレベルの年表データではなく、レベル３に近いレベル１のズームレベルの年表データによって、レベル３のズームレベルに合わせて年表を表示する。
【００５６】
＜第３の方法＞
第３の方法では、目的のズームレベルの年表データが用意されていない（存在しない）場合の別の方法として、そのズームレベルの表示モードが指定された場合、そのズームレベルより高い（そのズームレベルよりズームアップされた）ズームレベルの年表データによって、指定されたズームレベルに合わせて年表を表示する。
【００５７】
具体的に、音楽ベストテンという年表のデータとしては、レベル１のズームレベルの年表データとして、図２に示したように月間ベストテンの年表を表示するデータが存在し、レベル２のズームレベルの年表データとして、図３に示したように年間ベストテンの年表を表示するデータが存在する場合に、レベル３のズームレベルとして、レベル１より低く、レベル２より高い、年表表示領域２内に３年分の年表を表示するズームレベルが設定される場合、そのレベル３のズームレベルの表示モードが指定されたときには、レベル１のズームレベルの年表データによって、年表表示領域２内に３年分の月間ベストテンを表示する。
【００５８】
この場合、レベル１のズームレベルの年表データについては、あらかじめ各事項に対して重要度を設定しておいて、重要度の低い事項を省くか、画面上で各事項の表示幅を圧縮する必要があるが、レベル１のズームレベルの年表データによってレベル２のズームレベルの表示モードを実現する場合に比べればズーム比率が小さいので、その処理は比較的容易となる。
【００５９】
レベル１のズームレベルの年表データ、およびレベル１より低いレベル２のズームレベルの年表データが存在する場合で、レベル２より低いレベル３のズームレベルを指定できるようにした場合に、そのレベル３のズームレベルの表示モードが指定されたときには、レベル１のズームレベルの年表データではなく、レベル３に近いレベル２のズームレベルの年表データによって、レベル３のズームレベルに合わせて年表を表示する。
【００６０】
（２−３．年表表示処理：図７）
図７に、上記のように年表を表示する場合に情報処理装置１０のＣＰＵ１１が行う年表表示処理の一例を示す。
【００６１】
ユーザは、上記のような音楽ベストテンという年表や、世界の音楽の歴史、近代絵画の変遷、ワールドカップの歴史などの、システム上に存在する複数の年表の中から、見たい年表を選択し、指定する。
【００６２】
それぞれの年表としては、少なくとも、レベル１のズームレベルの年表データ、およびレベル１より低いレベル２のズームレベルの年表データが存在するものであり、かつ、それぞれの年表に対しては、デフォルトのズームレベルが定められる。
【００６３】
ＣＰＵ１１は、ユーザが年表を指定し、当該の年表の表示を指示することによって、処理を開始して、まずステップ３１で、指定された年表のデフォルトのズームレベルを検出し、次にステップ３２に進んで、指定された年表にはデフォルトのズームレベルの年表データが存在するか否かを判断する。
【００６４】
デフォルトのズームレベルが上記のレベル１またはレベル２であれば、デフォルトのズームレベルの年表データが存在するが、デフォルトのズームレベルがレベル１，２以外であれば、デフォルトのズームレベルの年表データが存在する場合と存在しない場合とがありうる。
【００６５】
そして、デフォルトのズームレベルの年表データが存在する場合には、ステップ３２からステップ３３に進んで、そのデフォルトのズームレベルの年表データを取得し、さらにステップ３４に進んで、その年表データによって、デフォルトのズームレベルで、指定された年表を表示した上で、ステップ３７に進む。
【００６６】
デフォルトのズームレベルの年表データが存在しない場合には、上述した第２の方法として、ステップ３２からステップ３５に進んで、指定された年表につき存在する、デフォルトのズームレベルより低い（ズームアウトされた）ズームレベルの年表データを取得し、さらにステップ３６に進んで、その年表データによって、デフォルトのズームレベルに合わせて、指定された年表を表示した上で、ステップ３７に進む。
【００６７】
ステップ３７では、当該の年表の表示を終了するか否かを判断し、ユーザが別の年表を選択指定したときや、年表表示そのものを終了させたときには、当該の年表の表示を終了するが、そうでなければ、ステップ３７からステップ３８に進んで、ユーザによってズームレベルの変更が指示されたか否かを判断する。
【００６８】
そして、ズームレベル変更の指示がなければ、ステップ３８からステップ３７に戻るが、ズームレベル変更の指示があったときには、ステップ３８からステップ３２に戻って、デフォルトのズームレベルに替えて、変更後のズームレベルにつき、ステップ３２以下の処理を実行する。
【００６９】
すなわち、ステップ３２では、変更後のズームレベルの年表データが存在するか否かを判断し、その判断結果に応じて、ステップ３３以下の処理、またはステップ３５以下の処理を行う。
【００７０】
［３．年表以外のテーブルの表示：図８］
上述した実施形態は、年表を表示する場合であるが、この発明は、年表に限らず、時間的または空間的な、または分類上または順位上の、軸上に位置づけられる各区間に関連する事項を、テーブルとして表示する場合に適用することができる。
【００７１】
図８に、その一例を示す。この例は、著名なアーティストを示したテーブルを表示する場合で、テーブルデータとしては、名前のスペルがアルファベットのＡ，Ｂ，Ｃ，Ｄ，Ｅ‥‥Ｚで始まる特に有名なアーティストを６人以内ずつ示したズームアウト表示用のテーブルデータと、名前のスペルがアルファベットのＡ，Ｂ，Ｃ，Ｄ，Ｅ‥‥Ｚで始まるアーティストを３０人以内ずつ示したズームイン表示用のテーブルデータとが存在する。
【００７２】
そして、ズームアウト表示モードでは、同図の上段に示すように、表示領域８内に、上記のズームアウト表示用のテーブルデータによって、軸９としては、例えばアーティスト“Ａ”からアーティスト“Ｅ”までの、５区間を表示し、事項部としては、その各区間に位置づけられたアーティストの名前を表示し、ズームイン表示モードでは、同図の下段に示すように、表示領域８内に、上記のズームイン表示用のテーブルデータによって、軸９としては、例えばアーティスト“Ｃ”という、１区間を表示し、事項部としては、その区間に位置づけられたアーティストの名前を表示する。
【図面の簡単な説明】
【００７３】
【図１】この発明の方法を実行するシステムの一例を示す図である。
【図２】ズームイン表示モードでの年表表示の一例を示す図である。
【図３】ズームアウト表示モードでの年表表示の一例を示す図である。
【図４】ズームイン表示モードおよびズームアウト表示モードでの年表表示の他の例を示す図である。
【図５】第３のズームレベルの表示モードの一例を示す図である。
【図６】第３のズームレベルの表示モードの他の例を示す図である。
【図７】情報処理装置のＣＰＵが実行する年表表示処理の一例を示す図である。
【図８】年表以外のテーブルを表示する場合の一例を示す図である。
【符号の説明】
【００７４】
主要部については図中に全て記述したので、ここでは省略する。
【図１】
2008046353.tif 000003
【図２】
2008046353.tif 000004
【図３】
2008046353.tif 000005
【図４】
2008046353.tif 000006
【図５】
2008046353.tif 000007
【図６】
2008046353.tif 000008
【図７】
2008046353.tif 000009
【図８】
2008046353.tif 000010